(57)【要約】【課題】頭部を接着することなく、頭部の首部に設けた取付け刺杆を、胴部の内部に完全に埋設した頭部取付け集束体に、何度でも抜き差し可能にすることで、小売店の店頭においても、顧客の要望に合わせて、胴部に様々な裂地を木目込み小道具を備えて仕立てた頭のない人形に、様々な表情、髪型や小道具からなる多様な頭部を、組合せ自由に差し替えることが可能な見栄えの良い木目込み人形を提供する。【解決手段】  胴部３と胴部３に差し込む取付け刺杆６を有する首部４を設けた頭部２からなる木目込み人形１において、取付け刺杆６を差し込む頭部取付け集束体１１を胴部３の内部に完全に埋設し、胴部３の頭部取付け集束体１１の上方に頭部取付け集束体１１の径よりも小径な首部挿入用開口５を形成した。【選択図】図１
2020014554.tif 000002
【特許請求の範囲】
【請求項１】
胴部と胴部に差し込む取付け刺杆を有する首部を設けた頭部からなる木目込み人形において、取付け刺杆を差し込む頭部取付け集束体を胴部の内部に完全に埋設し、胴部の頭部取付け集束体の上方に頭部取付け集束体の径よりも小径な首部挿入用開口を形成したことを特徴とする木目込み人形。
【請求項２】
頭部取付け集束体の下方は閉塞した請求項１記載の木目込み人形。
【請求項３】
閉塞は頭部取付け集束体下方に設けた開口を蓋詰する請求項２記載の木目込み人形
【請求項４】
頭部取付け集束体の上面に拘束用の紙体を貼付する請求項１乃至請求項３のいずれかに記載の木目込み人形。
【請求項５】
頭部取付け集束体は側面に紙を貼付した請求項１乃至請求項４のいずれかに記載の木目込み人形。
【発明の詳細な説明】
【技術分野】
【０００１】
本発明は、木目込み人形に関するものである。
【背景技術】
【０００２】
日本の伝統工芸品の一つである木目込み人形は、桐塑等で作られた人形の胴体に、衣装の皺や模様の形の筋彫りを入れ、筋彫りに裂地の端をヘラ等で押し込んで衣装を着ているように仕立てたものである。
【０００３】
従来の木目込み人形は、図６、図７に示す下記特許文献１に開示された、胴体５１の頂面に首孔５２を形成し、また頭体５３の下面に首杆５４を突設し、この首杆５４を首孔５２に差立てることによって胴体５１に頭体５３を取付け、首孔５２に接着剤を流し込みこれにより首杆５４を首孔５２内に固定して頭体５３を取外不能とするものであり、この構成により、胴体５１に対する頭体５３の取付けを極めて簡単に為し得る著効があるのみならず、取付け作業を能率よく為すことができ、製造の低コスト化に有益であり、更に胴体５１への首孔５２の形成および頭体５３への首杆５４の突設は胴体５１および頭体５３の成形の際に同時に為すことかできるため、全体の構成が著しく簡易である等の優れた効果を有するものである。
【０００４】
しかし、特許文献１の発明に係る木目込み人形は、接着剤を流し込んだ首孔５２に首杆５４を差立て首孔５２内に固定すると、頭体５３を別の頭体に付け替えたい場合に、自由に取外すことができないという課題があった。
【０００５】
ここで、図８から図１１に示す下記特許文献２には、発泡スチロール等の可塑性合成樹脂をもって所望適宜形状の人形胴型６１を成型するに際して、人形の首６２の刺杆６３を刺し込むためのワラ、モクモ、プレス紙その他これらの同効資材に係る所要の長さと太さの円柱状の集束体６４を頂上中央部に一部を蕗呈状としてインサートせしめた状態として、集束体６４を中心として人形胴型６１を一体成型、または、人形胴型６１の頂上中央部に集束体６４を押込むことのできる嵌孔を設けておいて、その嵌孔に集束体６４をあたかも一体成型状態のように強く押込み密嵌した、ひな人形の胴芯の発明が開示されている。この発明により、胴芯の胴型加工を簡略化し、同時に首刺し固定が確実強固となる、経済的で、かつ、製造容易な胴芯を提供でき、ひな人形の製造コストの廉価生産をすることが可能となる。
【先行技術文献】
【特許文献】
【０００６】
【特許文献１】公開実用昭和５５−５１２０５号公報（木目込み人形）
【特許文献２】特開昭和５１−１２７８４７号公報（ひな人形の胴芯）
【発明の概要】
【発明が解決しようとする課題】
【０００７】
しかし、特許文献２の発明に係るひな人形の胴芯は、集束帯６４が人形胴型６１の外側に出て見栄えが悪く、また、人形胴型６１の下部から集束帯６４を挿入してひな人形を製造することができないという課題があった。
【０００８】
本発明の目的は、前記従来例の不都合を解消し、頭部の着脱可能な見栄えの良い木目込み人形を提供することにある。
【課題を解決するための手段】
【０００９】
前記目的を達成するため請求項１記載の本発明は、胴部と胴部に差し込む取付け刺杆を有する首部を設けた頭部からなる木目込み人形において、取付け刺杆を差し込む頭部取付け集束体を胴部の内部に完全に埋設し、胴部の頭部取付け集束体の上方に頭部取付け集束体の径よりも小径な首部挿入用開口を形成したことを要旨とするものである。
【００１０】
請求項１記載の本発明によれば、胴部と胴部に差し込む取付け刺杆を有する首部を設けた頭部からなる木目込み人形の、取付け刺杆を差し込む頭部取付け集束体を胴部の内部に完全に埋設することにより、頭部取付け集束体が外から見えず、外観がすっきりとし、見栄えが良い。
【００１１】
また、取付け刺杆を差し込む頭部取付け集束体を胴部の内部に完全に埋設しているため、頭部取付け集束体が胴部の内部で固定され、頭部取付け集束体に取付け刺杆を刺した後、首部を確実に安定して拘持することにより頭部を固定できる。
【００１２】
さらに、胴部の頭部取付け集束体の上方に頭部取付け集束体の径よりも小径な首部挿入用開口としたことにより、頭部取付け集束体が、取付け刺杆を抜き差しする際に首部挿入用開口から抜け出ることなく頭部取付け集束体の径よりも小径な首部挿入用開口でとどまるため、首部を確実に安定して拘持することにより頭部を固定できる。
【００１３】
このように、本発明の木目込み人形は、取付け刺杆を差し込む頭部取付け集束体を胴部の内部に完全に埋設したものであるため、取付け刺杆を有する首部を設けた頭部を胴部に安定的に拘持し、かつ、頭部を簡便に着脱可能とできる。
【００１４】
請求項２記載の本発明は、頭部取付け集束体の下方は閉塞したことを要旨とするものである。
【００１５】
請求項２記載の本発明によれば、頭部取付け集束体を胴部内部に完全に埋設し、下方を閉塞することにより、頭部取付け集束体が外から見えず、外観がすっきりとし、見栄えが良く、かつ、頭部取付け集束体が胴部の内部で固定され、頭部取付け集束体に取付け刺杆を刺した後、首部を確実に安定して拘持することにより頭部を固定できる。
【００１６】
請求項３記載の本発明は、閉塞は頭部取付け集束体下方に設けた開口を蓋詰することを要旨とするものである。
【００１７】
請求項３記載の本発明によれば、頭部取付け集束体を胴部内部に完全に埋設するには、木目込み人形の原型の前半分と後半分の二つに分けて型を作り、桐塑をこの型に詰め、前後を合わせて一体として胴部とするが、前半分と後半分の型に桐塑を詰める際に頭部取付け集束体を埋め込むこととする構成と、前半分と後半分の型に桐塑を詰めて前後を合わせて一体として胴部とした後、胴部の下部から胴部内部に頭部取付け集束体を埋設可能な孔を設け頭部取付け集束体を埋め込むこととする構成を採用することができる。
【００１８】
後者の場合、頭部取付け集束体を胴部の内部に完全に埋設するために、頭部取付け集束体下方に設けた頭部取付け集束体挿入開口を蓋詰することで閉塞とした。これにより、頭部取付け集束体が外から見えず、外観がすっきりとし、見栄えが良く、かつ、頭部取付け集束体が胴部の内部で固定され、頭部取付け集束体に取付け刺杆を刺した後、首部を確実に安定して拘持することにより頭部を固定できる。
【００１９】
また、前半分と後半分の型に桐塑を詰めて前後を合わせて一体として胴部とした後、胴部の下部から胴部内部に頭部取付け集束体を埋設可能な孔を設け頭部取付け集束体を埋め込むこととする構成を採用することにより、前半分と後半分の型に桐塑を詰める際に頭部取付け集束体を埋め込む際のずれの発生を気にせずに、頭部取付け集束体を胴部内部の任意の位置に確実に埋設でき、安定的に製造できる。
【００２０】
請求項４記載の本発明は、頭部取付け集束体の上面に拘束用の紙体を貼付することを要旨とするものである。
【００２１】
請求項４記載の本発明によれば、拘束用の紙体を頭部取付け集束体の上面に貼付することにより、頭部取付け集束体を拘束することができ、取付け刺杆の頭部取付け集束体への抜き差しによる頭部取付け集束体のくずれを防止することができる。
【００２２】
また、拘束用の紙体を貫いて頭部取付け集束体に取付け刺杆を刺すため、取付け刺杆を拘束し、首部を確実に安定して拘持することにより頭部を固定できる。
【００２３】
請求項５記載の本発明は、頭部取付け集束体は側面に紙を貼付したことを要旨とするものである。
【００２４】
請求項５記載の本発明によれば、頭部取付け集束体は側面に紙を貼付したことにより頭部取付け集束体を拘束して、取付け刺杆の頭部取付け集束体への抜き差しによる頭部取付け集束体のくずれを防止することができ、首部を確実に安定して拘持することにより頭部を固定できる。
【発明の効果】
【００２５】
以上述べたように本発明は、頭部を接着することなく、頭部の首部に設けた取付け刺杆を、胴部の内部に完全に埋設した頭部取付け集束体に、何度でも抜き差し可能にすることで、小売店の店頭においても、顧客の要望に合わせて、胴部に様々な裂地を木目込み小道具を備えて仕立てた頭のない人形に、様々な表情、髪型や小道具からなる多様な頭部を、組合せ自由に差し替えることが可能な見栄えの良い木目込み人形を提供することができる。
【図面の簡単な説明】
【００２６】
【図１】本発明の木目込み人形の１実施例を示す説明図である。
【図２】本発明の木目込み人形の１実施例の頭部装着工程１を示す説明図である。
【図３】本発明の木目込み人形の１実施例の頭部装着工程２を示す説明図である。
【図４】本発明の木目込み人形の１実施例の頭部装着工程３を示す説明図である。
【図５】本発明の木目込み人形の頭部を差し替える状態を示す説明図である。
【図６】従来例の木目込み人形の状態を示す断面図である。
【図７】従来例の木目込み人形の状態を示す分解斜視図である。
【図８】従来例のひな人形の胴芯を示す正面図である。
【図９】従来例のひな人形の胴芯を示す縦断左側面図である。
【図１０】従来例のひな人形の胴芯を示す平面図である。
【図１１】従来例のひな人形の胴芯に首を刺した状態を示す正面図である。
【発明を実施するための形態】
【００２７】
以下本発明を実施するための形態について説明するが、本発明はこれに限定されたものでないことは、言うまでもない。
【００２８】
本発明の記載において、「木目込み人形」とは、衣装の皺や模様の形の筋彫りを入れた桐塑で作られた人形の胴部の、筋彫りに裂地の端をヘラ等で押し込んで衣装を着ているように仕立てた人形をいう。
【００２９】
本発明の記載において「桐塑」とは、桐の木粉に生麩糊（しょうふのり）やにかわを混ぜた粘土様の素材をいう。弾性と粘着性があって可塑性に富むうえに、乾燥すると堅固で木材同様に彫刻ができ、細かい造形表現可能な素材である。
【００３０】
本発明の記載において「生麩糊」とは、小麦粉から抽出した澱粉に水を加え煮た接着剤をいう。
【００３１】
本発明の記載において「胴部」は、粘土で制作した人形の胴部の原型を木枠に入れ、樹脂などを流し込んで、原型の前半分と後半分の二つに分けて人形の型を作り、桐塑を人形の型に押し当てるように詰め、前後を合わせて一体とし、その表面に裂地の端を木目込んでいくための筋彫りが施されたものをいう。頭部取付け集束体は、前記前半分と後半分を合わせて一体とする際に胴部内に埋め込む場合と、前記前半分と後半分を合わせて一体とする
【００３２】
以下図面について本発明の木目込み人形の実施の形態を詳細に説明する。
【００３３】
図１は本発明の木目込み人形の１実施例を示す説明図、図２は本発明の木目込み人形の１実施例の頭部装着工程１、図３は本発明の木目込み人形の１実施例の頭部装着工程２、図４は本発明の木目込み人形の１実施例の頭部装着工程３、図５は本発明の木目込み人形の頭部を差し替える状態を示す説明図である。
【００３４】
本発明の木目込み人形１は、頭部２、胴部３、首部４、首部挿入用開口５、取付け刺杆６、頭部取付け集束体挿入孔７、頭部取付け集束体１１、頭部取付け集束体上面貼付紙体２１からなり、頭部取付け集束体１１の周囲に頭部取付け集束体側面貼付紙体２２を設けてもよい。
【００３５】
木目込み人形１は、胴部３と胴部３に差し込む取付け刺杆６を有する首部４を設けた頭部２で構成する。
【００３６】
取付け刺杆６を差し込む頭部取付け集束体１１は、頭部２に設けた首部４の下部から突出した取付け刺杆６を差し込むもので、胴部３の内部に完全に埋設した。
【００３７】
胴部３の頭部取付け集束体１１の上方に頭部取付け集束体１１の径よりも小径な首部挿入用開口５を設けた。
【００３８】
頭部取付け集束体１１は胴部３内に完全に埋設するため、頭部取付け集束体１１の下方は閉塞し、閉塞は頭部取付け集束体１１下方に設けた開口８を蓋詰したものである。
【００３９】
頭部取付け集束体１１は、胴部３を構成する際に胴部３の内部に一体として設けてもよく、また、胴部３を構成した後に胴部３下部に頭部取付け集束体挿入孔７を設けて、そこから頭部取付け集束体１１を挿入することにより、胴部３内部に埋設してもよい。
【００４０】
頭部取付け集束体１１の上面に拘束用の紙体である、頭部取付け集束体上面貼付紙体２１を貼付した。
【００４１】
さらに、頭部取付け集束体１１は側面に紙からなる頭部取付け集束体側面貼付紙体２２を貼付してもよい。
【００４２】
木目込み人形１は、桐塑からなる胴部３の底部から、頭部取付け集束体１１が緩みなく密着して挿入可能な頭部取付け集束体挿入孔７を設け、ここから頭部取付け集束体１１を挿入し、挿入後の頭部取付け集束体挿入孔７を、胴部３の底部からは頭部取付け集束体１１および頭部取付け集束体挿入孔７の存在がわからないように桐塑で埋め戻し、胴部３表面の筋彫りに裂地の端をヘラ等で押し込んで衣装を着ているように仕立て小道具を装着したものに、様々な髪型や小道具からなる頭部２を差し込むことにより完成する。
【００４３】
また、木目込み人形１は、原型の前半分と後半分の二つに分けて人形の型を作り、桐塑を人形の型に押し当てるように詰め、その中心に頭部取付け集束体１１を埋設するように前後を合わせて一体の胴部３とし、胴部３表面の筋彫りに裂地の端をヘラ等で押し込んで衣装を着ているように仕立て小道具を装着したものに、様々な髪型や小道具からなる頭部２を差し込むことにより完成することもできる。
【００４４】
次に、本発明の木目込み人形１の使用法及び効果について説明する。
【００４５】
胴部３と胴部３に差し込む取付け刺杆６を有する首部４を設けた頭部２からなる木目込み人形１の、取付け刺杆６を差し込む頭部取付け集束体１１を胴部３の内部に完全に埋設することにより、頭部取付け集束体１１が外から見えず、外観がすっきりとし、見栄えが良い。
【００４６】
また、取付け刺杆６を差し込む頭部取付け集束体１１を胴部３の内部に完全に埋設しているため、頭部取付け集束体１１が胴部３の内部で固定され、頭部取付け集束体１１に取付け刺杆６を刺した後、首部４を確実に安定して拘持することにより頭部２を固定できる。
【００４７】
さらに、胴部３の頭部取付け集束体１１の上方に頭部取付け集束体１１の径よりも小径な首部挿入用開口５としたことにより、頭部取付け集束体１１が取付け刺杆６を抜き差しする際に首部挿入用開口５から抜け出ることなく頭部取付け集束体１１の径よりも小径な首部挿入用開口５でとどまるため、首部４を確実に安定して拘持することにより頭部２を固定できる。
【００４８】
このように、本発明の木目込み人形１は、取付け刺杆６を差し込む頭部取付け集束体１１を胴部３の内部に完全に埋設したものであるため、取付け刺杆６を有する頭部２を胴部３に安定的に拘持し、かつ、頭部２を簡便に着脱可能とできる。
【００４９】
頭部取付け集束体１１を胴部３内部に完全に埋設し、下方を閉塞することにより、頭部取付け集束体１１が外から見えず、外観がすっきりとし、見栄えが良く、かつ、頭部取付け集束体１１が胴部３の内部で固定され、頭部取付け集束体１１に取付け刺杆６を刺した後、首部４を確実に安定して拘持することにより頭部２を固定できる。
【００５０】
頭部取付け集束体１１を胴部３内部に完全に埋設するには、木目込み人形１の原型の前半分と後半分の二つに分けて型を作り、桐塑をこの型に詰め、前後を合わせて一体として胴部３とするが、前半分と後半分の型に桐塑を詰める際に頭部取付け集束体１１を埋め込むこととする構成と、前半分と後半分の型に桐塑を詰めて前後を合わせて一体として胴部３とした後、胴部３の下部から胴部３内部に頭部取付け集束体１１を埋設可能な孔として頭部取付け集束体挿入孔７を設け頭部取付け集束体１１を埋め込むこととする構成を採用することができる。
【００５１】
後者の場合、頭部取付け集束体１１を胴部３の内部に完全に埋設するために、頭部取付け集束体１１下方に設けた頭部取付け集束体挿入開口８を蓋詰することで閉塞とした。これにより、頭部取付け集束体１１が外から見えず、外観がすっきりとし、見栄えが良く、かつ、頭部取付け集束体１１が胴部３の内部で固定され、頭部取付け集束体１１に取付け刺杆６を刺した後、首部４を確実に安定して拘持することにより頭部２を固定できる。
【００５２】
また、前半分と後半分の型に桐塑を詰めて前後を合わせて一体として胴部３とした後、胴部３の下部から胴部３内部に頭部取付け集束体１１を埋設可能な孔を設け頭部取付け集束体１１を埋め込むこととする構成を採用することにより、前半分と後半分の型に桐塑を詰める際に頭部取付け集束体１１を埋め込む際のずれが発生せずに、頭部取付け集束体１１を胴部３内部の任意の位置に確実に埋設でき、安定的で効率的に製造できる。
【００５３】
拘束用の紙体としての頭部取付け集束体上面貼付紙体２１を頭部取付け集束体１１の上面に貼付することにより、頭部取付け集束体１１を拘束することができ、取付け刺杆６の頭部取付け集束体１１への抜き差しによる頭部取付け集束体１１のくずれを防止することができる。
【００５４】
また、拘束用の紙体を貫いて頭部取付け集束体１１に取付け刺杆６を刺すため、取付け刺杆６を拘束し、首部４を確実に安定して拘持することにより頭部２を固定できる。
【００５５】
頭部取付け集束体１１は側面に紙を貼付して、頭部取付け集束体側面貼付紙体２２としたことにより頭部取付け集束体１１を拘束して、取付け刺杆６の頭部取付け集束体１１への抜き差しによる頭部取付け集束体１１のくずれを防止することができ、首部４を確実に安定して拘持することにより頭部２を固定できる。
【００５６】
このように、頭部２を接着しないため、図５に示すように頭部２から頭部３２へと簡単に抜き差し可能で、かつ、頭部を安定的に固定できる。
【００５７】
頭部取付け集束体１１は様々な素材を用いて構成することができ、特に限定はないが、取付け刺杆６を頭部取付け集束体１１に抜き差しして頭部取付け集束体１１に孔が開きその孔が閉じずに開いたままとなり、さらに大きく広がって頭部取付け集束体１１で取付け刺杆６を把持できなくなり、頭部２が傾くこととなる素材は使用することはできない。
【００５８】
藁を密度高く藁束としたものを使用した場合は、取付け刺杆６を頭部取付け集束体１１に抜き差ししても、藁束にできた孔は閉じ、広がったままとならずこの頭部取付け集束体１１で取付け刺杆６を確実に把持でき、頭部２が傾くことはない。藁束に孔が生じた場合は、藁束を竹籤等でつついてほぐすことにより孔は閉じ、取付け刺杆６を抜き差しする前の藁束の状態に戻すことができる。
【００５９】
圧縮段ボールとは、段ボールの段部分を圧縮して孔部分を限りなく小さくしたものをいい、頭部取付け集束体１１として用いる場合は、カットした圧縮段ボールを密度高くくるくると巻き、頭部取付け集束体１１の頭部取付け集束体挿入孔７から挿入可能なサイズにしたものを胴部３内部に差し込む。取付け刺杆６を頭部取付け集束体１１に抜き差ししても、圧縮段ボールから構成する頭部取付け集束体１１の孔は広がったままとならず、この頭部取付け集束体１１で取付け刺杆６を確実に把持でき、頭部２が傾くことはない。
【００６０】
藁束とは、藁を束にしたものをビニールや麻や木綿等の紐で一カ所または複数個所をきつく縛って束状にしたものである。藁を束にして紐できつく縛ることにより藁が抜け出にくくなる。
【００６１】
さらに、藁束を中心にしてその周りを圧縮段ボールで密度高く巻いたものを頭部取付け集束体１１とすることもできる。
【００６２】
このように、藁束や圧縮段ボールを単体で、または併用して頭部取付け集束体１１とすることは好ましい。
【００６３】
頭部取付け集束体１１は、上部に頭部取付け集束体上面貼付紙体２１を設けることにより、取付け刺杆６の抜き差しにより、藁束や圧縮段ボール等からなる頭部取付け集束体１１が上方に滑り出て、頭部取付け集束体１１が細くなり、頭部２がぐらついたり、胴部３が変形することを防ぐことができる。
【００６４】
頭部取付け集束体１１の頭部取付け集束体上面貼付紙体２１を紙とすることにより、取付け刺杆６を容易に抜き差し可能とすることができる。頭部取付け集束体上面貼付紙体２１とする紙は、特に限定はないが、密度の高く素材由来の繊維を含む目のつんだ和紙を使用することが好ましく、取付け刺杆６を頭部取付け集束体１１に何度も抜き差ししても、頭部取付け集束体上面貼付紙体２１とする紙が破れたり、紙の孔が大きくなったりしにくく、藁束や圧縮段ボール等からなる頭部取付け集束体１１が上方に滑り出るのを防ぐことができる。
【産業上の利用可能性】
【００６５】
本発明により、頭部を接着することなく、頭部の首部に設けた取付け刺杆を、胴部の内部に完全に埋設した頭部取付け集束体に、何度でも抜き差し可能にすることで、小売店の店頭においても、顧客の要望に合わせて、胴部に様々な裂地を木目込み小道具を備えて仕立てた頭のない人形に、様々な表情、髪型や小道具からなる多様な頭部を、組合せ自由に差し替えることが可能な見栄えの良い木目込み人形を提供することができる。
【符号の説明】
【００６６】
１    木目込み人形
２    頭部
３    胴部
４    首部
５    首部挿入用開口
６    取付け刺杆
７    頭部取付け集束体挿入孔
８    頭部取付け集束体挿入開口
１１  頭部取付け集束体
２１  頭部取付け集束体上面貼付紙体
２２  頭部取付け集束体側面貼付紙体
３２  頭部
５１  胴体
５２  首孔
５３  頭体
５４  首杆
６１  人形胴型
６２  人形の首
６３  刺杆
６４  集束体
【図１】
2020014554.tif 000003
【図２】
2020014554.tif 000004
【図３】
2020014554.tif 000005
【図４】
2020014554.tif 000006
【図５】
2020014554.tif 000007
【図６】
2020014554.tif 000008
【図７】
2020014554.tif 000009
【図８】
2020014554.tif 000010
【図９】
2020014554.tif 000011
【図１０】
2020014554.tif 000012
【図１１】
2020014554.tif 000013